(57)【特許請求の範囲】
【請求項１】
操作桿の下端に連結され、原動機によって前記操作桿の軸線方向に往復振動するように駆動される掻刃を備えたスクレイパー装置において、前記掻刃に対し開閉自在に対向配置されて、該掻刃上に掻き上げられた付着物をばねの弾発力を利用して挟持する挟持部材と、該挟持部材を開閉操作する開閉手段とを設けたことを特徴とするスクレイパー装置。
【請求項２】
開閉操作手段が、挟持部材に一端が支持された棒状または線状の牽引部材と、操作桿の操作部位にて、前記牽引部材をばねに抗して牽引操作する遠隔操作トリガとから構成されていることを特徴とする請求項１に記載のスクレイパー装置。
【請求項３】
牽引部材の途中に、該牽引部材のテンションを調節するテンション調節部材が介装されていることを特徴とする請求項２に記載のスクレイパー装置。
【発明の詳細な説明】
【０００１】
【産業上の利用分野】
この発明は、駅構内の床面や道路面等に付着しているチューインガム，汚物，その他の付着物を掻き取るためのスクレイパー装置に関する。
【０００２】
【従来の技術】
従来、例えば、駅のプラットホーム等の床面に付着したチューインガムを除去する場合には、作業者がヘラ等を手に持ち、かがんだりしゃがみこんだりして作業をしていた。
【０００３】
しかしながら、ヘラ等による付着物の剥離に予想以上の力を必要とし、さらに特異な作業姿勢が要求されるため苦痛を伴うほか、作業能率が悪いなどの問題があった。
【０００４】
一方、かかる作業者の作業負担や作業能率の悪さを改善するために、例えば、実開平４−５２８４７号に記載のチューインガム等の掻取り装置、図７に示すようなスクレイパー装置が提案されている。
【０００５】
図７に示すスクレイパー装置は、両手で把持可能な前ハンドル１および後ハンドル２を上端部にそれぞれ有する操作桿３と、該操作桿３の下部に連設されて、内部にモータなどの原動機４やこの原動機４により駆動されるカム６とを有するケース５と、該ケース５の下部から突出し、前記カム６の回転に応動して、操作桿３の軸線方向に往復振動する掻刃支持部材７とを有する。
【０００６】
また、８は前記掻刃支持部材７の下端にねじ部材９によって基部が固定された掻刃である。なお、前記原動機４がモータである場合には、ケース部５内には、外部電源を引込むリード線やバッテリなどが収納される。
【０００７】
さらに、１０はメインスイッチ、１１は前記掻刃による掻き取り時ごとに操作される操作スイッチ、１２はチューインガムなどの路面上等に付着した付着物である。
【０００８】
かかる従来のスクレイパー装置では、前記前ハンドル１および後ハンドル２を手で握り、メインスイッチ１０および操作スイッチ１１を順に指先で操作し、原動機４を始動させることができる。
【０００９】
そして、この原動機４の始動後は、前記カム６の回転によって、掻刃支持部材７は操作桿３の軸線方向に小振幅かつ高い振動周波数で往復振動する。
【００１０】
従って、この往復振動開始の前後に路面に付着した付着物１２を掻き上げるように、掻刃８の刃先を路面との間に圧入操作することで、その付着物１２は前記振動を受けて次第に路面から掻き上げられて剥離する。
【００１１】
この結果、かかる従来の原動機式のスクレイパー装置を使用することで、作業者は体をかがめることなく起立状態で、負担なく迅速かつ容易に付着物１２の掻き取り作業を実施できることとなる。
【００１２】
【発明が解決しようとする課題】
しかしながら、かかる従来のスクレイパー装置にあっては、このスクレイパー装置の使用による付着物の掻き取り作業が終了した後は、作業者がほうきと塵取りを使用して、その掻き取った付着物をはき集めるなどの掃除作業が必要になり、付着物除去作業全体の能率が著しく悪いばかりか、掻き取りおよび掃除のそれぞれについて作業を分担する作業員が必要になり、作業コストが高くなるなどの問題点があった。
【００１３】
請求項１の発明は前記のような従来の問題点に着目してなされたものであり、最適な作業姿勢にて作業者が付着物の掻き取り作業および掃除作業を容易かつ迅速に実施でき、この作業を能率的かつ人件費などについてローコストにて実施できるスクレイパー装置を得ることを目的とする。
【００１４】
請求項２の発明は簡単な構造の遠隔操作トリガを手元の操作部位を牽引および牽引解除する操作だけ、簡単かつ確実に、掻刃上に掻き上げられた付着物を挟持および挟持解除できるスクレイパー装置を得ることを目的とする。
【００１５】
請求項３の発明は牽引部材のテンションを最適に調節することで、遠隔操作トリガが動きを高感度かつ確実に挟持部材に伝えることができるスクレイパー装置を得ることを目的とする。
【００１６】
【課題を解決するための手段】
請求項１の発明に係るスクレイパー装置は、操作桿の下端に連結され、原動機によって前記操作桿の軸線方向に往復振動するように駆動される掻刃と、前記掻刃に対し開閉自在に対向配置されて、該掻刃上に掻き上げられた付着物をばねの弾発力を利用して挟持する挟持部材とを設けて、開閉操作手段により、該挟持部材を開閉操作可能にしたものである。
【００１７】
請求項２の発明に係るスクレイパー装置は、開閉操作手段を、挟持部材に一端が支持された棒状または線状の牽引部材と、操作桿の操作部位にて、前記牽引部材をばねに抗して牽引操作する遠隔操作トリガとから構成したものである。
【００１８】
請求項３の発明に係るスクレイパー装置は、牽引部材の途中に、該牽引部材のテンションを調節するテンション調節部材を介装したものである。
【００１９】
【作用】
請求項１の発明におけるスクレイパー装置は、原動機の回転に同期して回転するカムが掻刃支持部材を、操作桿の軸線方向に振動させるため、掻刃は路面等に付着した付着物を、これの付着面から徐々に掻き上げるように動作する。
【００２０】
一方、このようにして掻き取られた付着物は、手元で開閉操作部材を操作することによって、掻刃に対向する挟持部材を開かせることで、その掻刃上に載せることができ、この掻刃上の付着物を、前記開閉操作部材の操作によって、ばね付勢された挟持部材により挟圧保持させる。
【００２１】
また、この挟圧保持した前記付着物は、再び前記開閉操作部材を操作して挟持部材を開かせることで、ごみ箱などへ落下，廃棄することができ、かかる一連の作業を負担のない楽な姿勢にて何人も容易に実施可能にする。
【００２２】
請求項２の発明におけるスクレイパー装置は、開閉操作部材を構成する遠隔操作トリガの操作力を棒状や線状の牽引部材を介して挟持部材に伝えることで、簡単な機構にて挟持部材の開閉を円滑かつローコストにて実現可能にする。
【００２３】
請求項３の発明におけるスクレイパー装置は、牽引部材に介在したテンション調節部材により、この牽引部材のテンションを一定に保つことで、開閉操作部材の操作を高感度にて直接挟持部材に伝えることを可能にするとともに、必要に応じ挟持部材の開度調整も実施可能にする。
【００２４】
【実施例】
以下に、この発明の一実施例を図について説明する。図１において、１，２は両手で把握可能な前ハンドルおよび後ハンドル、３はこれらの各ハンドル１，２を一端部（上部）に有する操作桿である。
【００２５】
また、５はこの操作桿３の下部に連設されて、内部にモータなどの原動機４や、この原動機４により同期駆動されるカム６を有するケース部である。
【００２６】
さらに、７は先端部に掻刃８をねじ部材９によって取り付けいてる掻刃支持部材であり、前記カム６の回転に同期して操作桿３の軸線方向に高速で振動する。１０は後ハンドル２のリング部下面に取り付けられたメインスイッチ、１１は付着物の掻き取り作業ごとに、前記原動機４を駆動するために操作される操作スイッチで、後ハンドル２のリング部内周面に取り付けられている。１２は路面などに付着しているチューインガムなどの付着物である。
【００２７】
また、１３は前記掻刃８上の取付台８ａに取り付けられた挟持部材であり、先端には、図２及び図３に示すように粘着性のチューインガムなどが密着しにくいかあるいはそのチューインガムなどの剥離を容易化するフッ素樹脂などの剥離容易化部材１４が、２本の支持棒１５を介して取り付けられている。なお、８ｂは取付台８ａを掻刃８上に固定するねじである。
【００２８】
１６は挟持部材１３の基部に取り付けられた水平軸であり、この水平軸１６は取付台８ａ上の一対のブラケット１７に対して、回転自在に支持されている。
【００２９】
また、この水平軸１６には、一端が取付台８ａ側に係止され、他端が挟持部材１３に係止させたばね部材としてのねじりばね１８が嵌挿されている。従って、このねじりばね１８によって、挟持部材１３の支持棒１５や剥離容易化部材１４は、図３に示すように、矢印Ａ方向に、掻刃８側に閉じるように付勢されることとなる。
【００３０】
また、１９は前記挟持部材１３の一部に一端が取り付けられた棒状または線状の牽引部材で、ここではワイヤが用いられている。そして、このワイヤ１９の他端は前記ケース部５の外側部付近に案内されて、ここにテンション調節部材としての連結板２０が止着されている。
【００３１】
さらに、この連結板２０は、前記ワイヤ１９が該連結板２０の下部及び上部に設けた挿通孔２１を挿通させ、そして、遠隔操作用のトリガリング２３を介して折り返し、前記連結板２０の固定孔２２を通して前記ワイヤ１９を図示の様に結んで固定する。
【００３２】
また、ワイヤ２４の一方は、前記トリガリング２３に結び固定され、他方は前ハンドル１の取付孔１ａを通って抜け止め部材２５にて処理されている。
【００３３】
そして、前記ワイヤ１９、連結板２０、トリガリング２３及びワイヤ２４が開閉操作部材Ｋを構成している。
【００３４】
なお、前記ワイヤ１９及び２４の固定処理を結んで固定しているが、一般的に使用される固定部材を使用してよいことは設計上の問題なのである。
【００３５】
次に動作について説明する。まず、付着物の掻取作業する前に、作業者は自己の体形に合った作業姿勢が得られるように、前ハンドル１の位置や向きを、取付ねじ２６を緩めるなどして調整する。
【００３６】
続いて、連結板２０の取付孔２１に通したワイヤ１９の長さ調整を、前記連結板２０のスライド移動によって行うことにより、挟持部材１３が掻刃８に対し、図３に実線で示すように閉じた状態となるように、ワイヤ１９を十分に緊張させる。
【００３７】
そして、前述した前準備が完了したら、メインスイッチ１０をオン操作し、前ハンドル１および後ハンドル２を手で把持して作業体勢をとり、掻刃８の先端を、路面などとこれに付着する付着物１２との付着面に適当な角度で差し込む。
【００３８】
次に、このような状態にて、操作スイッチ１１を指でオン操作すると、ケース部５内の原動機が駆動開始し、これに同期してカム６も回転する。このため、このカム６のカム面に上端を接している掻刃支持部材７は所定ストロークの小振幅で往復振動する。
【００３９】
このため、この往復振動を受けて前記付着物はその付着面から掻き上げられ遂には路面から剥離する。なお、その付着物が完全に剥離する少し前に、トリガリング２３をねじりばね１８の反発力に抗して引き上げておく。
【００４０】
挟持部材１５の先端部、ここでは剥離容易化部材１４が、図３の点線で示すように掻刃８に対し開いているため、その掻刃８上に前記付着物１２をすくい上げ、次にトリガリング２３の引き上げを解除して、前記ねじりばね１８の反発力により戻すことで、その付着物１２を掻刃８および挟持部材１３間に挟持させることができる。
【００４１】
このようにし、所定数の例えば２，３箇所にある前記付着物１２の掻き取りおよび挟持を行った場合には、そのスクレイパー装置をごみ箱や塵取りに廃棄する作業に移る。すなわち、ここでは、前記トリガリング２３を再び引き上げ、ワイヤ１９などを介して挟持部材１３を開かせることで、前記付着物１２の挟持が解除され、付着物１２を前記ごみ箱などに落下，廃棄することができる。
【００４２】
なお、付着物１２のうち、夏季にかみ捨てられたチューインガムなどでは、その粘着性によって前記掻き取り作業中に掻刃８にこれが付着してしまう。この場合には、次々に別の付着物１２を続けて掻き取ることで、前記掻刃８に付着した付着物１２が、次に掻き取った付着物１２により掻刃８上に押し上げられ、遂には剥離容易化部材１４の後端から剥離して、ごみ箱などへの落下が容易化することとなる。
【００４３】
図４はこの発明のスクレイパー装置の他の実施例を示す。この実施例が図１〜図３に示したものと異るところは、牽引部材としてのワイヤ１９、テンション調節部材としの連結板２０，トリガリング２３およびワイヤト２４に代えて、牽引部材としてのロッドやワイヤ、ここではロッド３１、これらのロッド３１の途中に介装されたテンション調節部材としてのターンバックル部材３２およびワイヤ３９の上端部を引き上げるトリガボタン３３を用いた点である。
【００４４】
ここで、前記ワイヤ３９は前記ケース部５および操作桿３内に図示しないプーリなどを介してガイドされ、さらに、図５に示すように、後ハンドル２内の複数のプーリ３４を介してボビン３５に前記ワイヤ３９の上端部が巻き付けられている。
以上
【００４５】
そして、このボビン３５は回転軸３６端に取り付けられ、この回転軸３６に取り付けられたピニオン３７に、前記トリガボタン３３端に取り付けられたラック３８が噛合されている。このため、トリガボタン３３のプッシュ操作により、ラック３８を介してピニオン３７および回転軸３６を回転付勢することができ、これによりボビン３５にワイヤ３９を巻き上げることができる。
【００４６】
この結果、ロッド３１はターンバックル部材３２を介して挟持部材１３を掻刃８に対して開かせることができる。
【００４７】
図６は前記ターンバックル部材３２の詳細を示し、一端においてケース部５側のロッド３１のリング溝４１にフランジ部４２を回転自在に嵌合されており、他端部の内周面に形成した雌ねじ部４３が、掻刃８側のロッド３１の外周に形成した雄ねじ部４４に螺合されている。
【００４８】
従って、このターンバックル部材３２を一方向または他方向に回転操作することで、雄ねじ部４４の雌ねじ部４３に対する螺合量を変えれば、これらが相対的に軸線方向移動するため、前記ロッド３１及びワイヤ３９のテンションを任意かつ容易に調節することができる。
【００４９】
また、この実施例では、ロッド３１及びワイヤ３９の大部分をケース部５内に納めてあるため、外観上の美感を維持でき、前記トリガボタン３３の簡単なプッシュ操作のみで、挟持部材による挟持動作を確実に行わせることができる。
【００５０】
【発明の効果】
以上説明してきたように、請求項１の発明によれば、操作桿の下端に連結され、原動機によって前記操作桿の軸線方向に往復振動するように駆動される掻刃と、前記掻刃に対し開閉自在に対向配置されて、付着物をばねの弾発力を利用して挟持する挟持部材とを設けて、開閉操作手段により、該挟持部材を開閉操作できるように構成したので、最適な作業姿勢にて作業者が付着物の掻き取り作業および掃除作業を容易かつ迅速に実施でき、この作業を能率的かつ人件費などについてローコストにて実施できるものが得られる効果がある。
【００５１】
請求項２の発明によれば、開閉操作手段を、挟持部材に一端が支持された棒状または線状の牽引部材と、操作桿の操作部位にて、前記牽引部材をばねに抗して牽引操作する遠隔操作トリガとから構成したので、簡単な構造の遠隔操作トリガを手元の操作部位を牽引および牽引解除する操作だけ、簡単かつ確実に、掻刃上に掻き上げられた付着物を挟持および挟持解除できるものが得られる効果がある。
【００５２】
請求項３の発明によれば、牽引部材の途中に、該牽引部材のテンションを調節するテンション調節部材を介装するように構成したので、牽引部材のテンションを最適に調節することで、遠隔操作トリガの動きを高感度かつ確実に挟持部材に伝えることができるものが得られる効果がある。
【図面の簡単な説明】
【図１】この発明の一実施例によるスクレイパー装置を示す斜視図である。
【図２】図１における掻刃付近を拡大して示す平面図である。
【図３】図１における掻刃付近を拡大して示す正面図である。
【図４】この発明の他の実施例によるスクレイパー装置を示す正面図である。
【図５】図４における後ハンドル付近の内部構造を示す概念図である。
【図６】図４におけるターンバックル部材の概略を示す断面図である。
【図７】従来のスクレイパー装置を示す斜視図である。
【符号の説明】
３  操作桿
４  原動機
８  掻刃
１３  挟持部材
１８  ばね
１９，２４，３９  ワイヤ（牽引部材）
２０  連結板（テンション調節部材）
２３  トリガリング
３１  ロッド（牽引部材）
３２  ターンバックル部材（テンション調節部材）
３３  トリガボタン（遠隔操作トリガ）
Ｋ  開閉操作部材
【図１】
0003574194.tif 000002
【図２】
0003574194.tif 000003
【図３】
0003574194.tif 000004
【図４】
0003574194.tif 000005
【図５】
0003574194.tif 000006
【図６】
0003574194.tif 000007
【図７】
0003574194.tif 000008